【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】
紙葉類の厚さを検出する紙葉類厚さ検知装置を備えた紙葉類判別装置において、
前記紙葉類厚さ検知装置で検出した前記紙葉類の厚さ検出信号から特定の波長以下の成分を抽出する波長抽出手段と、前記波長抽出手段で抽出した特定の波長以下の振幅が一定値以上出現する位置を求める出現位置抽出手段と、前記出現位置抽出手段で求めた出現位置とあらかじめ記憶してある前記紙葉類の特定の波長以下の振幅が一定値以上出現する出現位置とを照合する照合手段とを備え、前記紙葉類の特定の波長以下の振幅の出現位置が一致するか否かを判定して紙葉類の真偽を判別するようにしたことを特徴とする紙葉類判別装置。
【請求項２】
紙葉類の厚さを検出する紙葉類厚さ検知装置を備えた紙葉類判別装置において、
前記紙葉類厚さ検知装置を通過した前記紙葉類の通過位置を検出する通過位置検出手段と、前記紙葉類厚さ検知装置で検出した前記紙葉類の厚さ検出信号から特定の波長以下の成分を抽出する波長抽出手段と、前記波長抽出手段で抽出した特定の波長以下の振幅が一定値以上出現する位置を求める出現位置抽出手段と、前記出現位置抽出手段で抽出した出現位置と前記紙葉類の通過位置に対応してあらかじめ記憶してある前記紙葉類の特定の波長以下の振幅が一定値以上出現する出現位置とを照合する照合手段とを備え、前記紙葉類の特定の波長以下の振幅の出現位置が一致するか否かを判定して紙葉類の真偽を判別するようにしたことを特徴とする紙葉類判別装置。
【請求項３】
前記波長抽出手段で抽出した波形からあらかじめ記憶してある前記紙葉類の特定の波長以下の成分を抽出した波形を減算する減算手段を設け、前記減算手段の出力波形から前記出現位置抽出手段により特定の波長以下の振幅が一定値以上出現する前記紙葉類の出現位置を求め、前記照合手段により前記出現位置抽出手段により求めた出現位置とあらかじめ記憶してある前記紙葉類の特定の波長以下の振幅が一定値以上出現する出現位置とを照合し、前記あらかじめ記憶してある出現位置以外で特定の波長以下の振幅が出現した場合は偽と判定するようにしたことを特徴とする請求項１乃至請求項２に記載の紙葉類判別装置。
【請求項４】
前記抽出した特定の波長以下の振幅が一定値以下になる前記紙葉類の出現位置を求め、あらかじめ記憶してある前記紙葉類の特定の波長以下の振幅が一定値以下出現する出現位置と照合することにより紙葉類の真偽を判定するようにしたことを特徴とする請求項１乃至請求項２に記載の紙葉類判別装置。
【請求項５】
前記紙葉類厚さ検知装置は、紙幣の搬送方向と直交方向に複数備えられており、隣接する前記紙葉類厚さ検知装置間で、前記紙葉類の特定の波長以下の振幅が一定値以上、又は一定値以下出現する出現位置の連続性を照合することにより紙葉類の真偽を判定するようにしたことを特徴とする請求項１乃至請求項２に記載の紙葉類判別装置。
【請求項６】
前記あらかじめ記憶してある前記紙葉類の特定の波長以下の振幅が一定値以上、又は一定値以下出現する位置は、前記紙葉類の直交する２辺の交点を原点とする座標系の幾何学式で記憶されており、前記紙葉類の通過位置に対する特定の波長以下の振幅が一定値以上、又は一定値以下出現する位置を演算により求めるようにしたことを特徴とする請求項１乃至請求項２に記載の紙葉類判別装置。
【請求項７】
前記厚さ検出信号から抽出する波長は、前記紙葉類厚さ検知装置の前記紙葉類の搬送方向に接触、又は投影された検出幅以下の波長を抽出するようにしたことを特徴とする請求項１乃至請求項２に記載の紙葉類判別装置。
【請求項８】
前記厚さ検出信号から抽出する波長は、波長０．８ｍｍ以下の波長を抽出するようにしたことを特徴とする請求項１乃至請求項２に記載の紙葉類判別装置。
【請求項９】
紙葉類の厚さを検出する紙葉類厚さ検知装置を備えた紙葉類判別装置において、
前記紙葉類厚さ検知装置で検出した前記紙葉類の厚さ検出信号から特定範囲の波長を抽出する波長抽出手段と、前記波長抽出手段で抽出した波長を全波整流したのち積分値を求める積分手段とを備え、前記積分手段の積分値が一定値以上ある場合は皺のある紙葉類であると判定するようにしたことを特徴とする紙葉類判別装置。
【請求項１０】
紙葉類の厚さを検出する紙葉類厚さ検知装置を備えた紙葉類判別装置において、
前記紙葉類厚さ検知装置を通過した前記紙葉類の通過位置を検出する通過位置検出手段と、前記紙葉類厚さ検知装置で検出した前記紙葉類の厚さ検出信号から特定範囲の波長を抽出する波長抽出手段と、前記波長抽出手段で抽出した波長を全波整流したのち積分値を求める積分手段とを備え、前記紙葉類の通過位置に対応して検出された前記積分手段の積分値が一定値以上ある場合は皺のある紙葉類であると判定するようにしたことを特徴とする紙葉類判別装置。
【請求項１１】
前記特定範囲の波長は、波長１ｍｍから２ｍｍであることを特徴とする請求項９及び請求項１０に記載の紙葉類判別装置。
【請求項１２】
請求項１乃至１１のいずれかに記載の紙葉類判別装置を備えたことを特徴とする紙幣取扱装置。
【手続補正２】
【補正対象書類名】明細書
【補正対象項目名】０００７
【補正方法】変更
【補正の内容】
【０００７】
【課題を解決するための手段】
上記目的は、紙葉類の厚さを検出する紙葉類厚さ検知装置を備えた紙葉類判別装置において、前記紙葉類厚さ検知装置で検出した前記紙葉類の厚さ検出信号から特定の波長以下の成分を抽出する波長抽出手段と、前記波長抽出手段で抽出した特定の波長以下の振幅が一定値以上出現する位置を求める出現位置抽出手段と、前記出現位置抽出手段で求めた出現位置とあらかじめ記憶してある前記紙葉類の特定の波長以下の振幅が一定値以上出現する出現位置とを照合する照合手段とを備え、前記紙葉類の特定の波長以下の振幅の出現位置が一致するか否かを判定して紙葉類の真偽を判別するようにしたことにより達成される。
【手続補正３】
【補正対象書類名】明細書
【補正対象項目名】０００８
【補正方法】変更
【補正の内容】
【０００８】
また上記目的は、紙葉類の厚さを検出する紙葉類厚さ検知装置を備えた紙葉類判別装置において、前記紙葉類厚さ検知装置を通過した前記紙葉類の通過位置を検出する通過位置検出手段と、前記紙葉類厚さ検知装置で検出した前記紙葉類の厚さ検出信号から特定の波長以下の成分を抽出する波長抽出手段と、前記波長抽出手段で抽出した特定の波長以下の振幅が一定値以上出現する位置を求める出現位置抽出手段と、前記出現位置抽出手段で抽出した出現位置と前記紙葉類の通過位置に対応してあらかじめ記憶してある前記紙葉類の特定の波長以下の振幅が一定値以上出現する出現位置とを照合する照合手段とを備え、前記紙葉類の特定の波長以下の振幅の出現位置が一致するか否かを判定して紙葉類の真偽を判別するようにしたことにより達成される。
【手続補正４】
【補正対象書類名】明細書
【補正対象項目名】０００９
【補正方法】変更
【補正の内容】
【０００９】
また上記目的は、前記波長抽出手段で抽出した波形からあらかじめ記憶してある前記紙葉類の特定の波長以下の成分を抽出した波形を減算する減算手段を設け、前記減算手段の出力波形から前記出現位置抽出手段により特定の波長以下の振幅が一定値以上出現する前記紙葉類の出現位置を求め、前記照合手段により前記出現位置抽出手段により求めた出現位置とあらかじめ記憶してある前記紙葉類の特定の波長以下の振幅が一定値以上出現する出現位置とを照合し、前記あらかじめ記憶してある出現位置以外で特定の波長以下の振幅が出現した場合は偽と判定するようにしたことにより達成される。
【手続補正５】
【補正対象書類名】明細書
【補正対象項目名】００１０
【補正方法】変更
【補正の内容】
【００１０】
また上記目的は、前記抽出した特定の波長以下の振幅が一定値以下になる前記紙葉類の出現位置を求め、あらかじめ記憶してある前記紙葉類の特定の波長以下の振幅が一定値以下出現する出現位置と照合することにより紙葉類の真偽を判定するようにしたことにより達成される。
【手続補正６】
【補正対象書類名】明細書
【補正対象項目名】００１１
【補正方法】変更
【補正の内容】
【００１１】
また上記目的は、前記紙葉類厚さ検知装置は、紙幣の搬送方向と直交方向に複数備えられており、隣接する前記紙葉類厚さ検知装置間で、前記紙葉類の特定の波長以下の振幅が一定値以上、又は一定値以下出現する出現位置の連続性を照合することにより紙葉類の真偽を判定するようにしたことにより達成される。
【手続補正７】
【補正対象書類名】明細書
【補正対象項目名】００１２
【補正方法】変更
【補正の内容】
【００１２】
また上記目的は、前記あらかじめ記憶してある前記紙葉類の特定の波長以下の振幅が一定値以上、又は一定値以下出現する位置は、前記紙葉類の直交する２辺の交点を原点とする座標系の幾何学式で記憶されており、前記紙葉類の通過位置に対する特定の波長以下の振幅が一定値以上、又は一定値以下出現する位置を演算により求めるようにしたことにより達成される。
【手続補正８】
【補正対象書類名】明細書
【補正対象項目名】００１３
【補正方法】変更
【補正の内容】
【００１３】
また上記目的は、前記厚さ検出信号から抽出する波長は、前記紙葉類厚さ検知装置の前記紙葉類の搬送方向に接触、又は投影された検出幅以下の波長を抽出するようにしたことにより達成される。
【手続補正９】
【補正対象書類名】明細書
【補正対象項目名】００１４
【補正方法】変更
【補正の内容】
【００１４】
また上記目的は、前記厚さ検出信号から抽出する波長は、波長０．８ｍｍ以下の波長を抽出するようにしたことにより達成される。
【手続補正１０】
【補正対象書類名】明細書
【補正対象項目名】００１５
【補正方法】変更
【補正の内容】
【００１５】
また上記目的は、紙葉類の厚さを検出する紙葉類厚さ検知装置を備えた紙葉類判別装置において、前記紙葉類厚さ検知装置で検出した前記紙葉類の厚さ検出信号から特定範囲の波長を抽出する波長抽出手段と、前記波長抽出手段で抽出した波長を全波整流したのち積分値を求める積分手段とを備え、前記積分手段の積分値が一定値以上ある場合は皺のある紙葉類であると判定するようにしたことにより達成される。
【手続補正１１】
【補正対象書類名】明細書
【補正対象項目名】００１６
【補正方法】変更
【補正の内容】
【００１６】
また上記目的は、紙葉類の厚さを検出する紙葉類厚さ検知装置を備えた紙葉類判別装置において、前記紙葉類厚さ検知装置を通過した前記紙葉類の通過位置を検出する通過位置検出手段と、前記紙葉類厚さ検知装置で検出した前記紙葉類の厚さ検出信号から特定範囲の波長を抽出する波長抽出手段と、前記波長抽出手段で抽出した波長を全波整流したのち積分値を求める積分手段とを備え、前記紙葉類の通過位置に対応して検出された前記積分手段の積分値が一定値以上ある場合は皺のある紙葉類であると判定するようにしたことにより達成される。